(57)【特許請求の範囲】
【請求項１】
磁気テープを巻回した一対の巻取ハブを収容するカセット本体を構成し、前記一対の巻取ハブの間に張架された部分の磁気テープをカセット前面側に露出するよう蓋合わせ状に結合された上ハーフおよび下ハーフと、
前記カセット左右方向に延在する水平部と、その左右両端に該水平部に垂直に連接する側板部を有し、該側板部に設けられた支軸ピンを前記上ハーフの底面に設けられたフランジ部のピン支持孔に貫挿させ、前記カセット前面側に露出される磁気テープの前面側を前記水平部で覆う閉位置と、前記磁気テープの前面側を開放する開位置との間を回動可能に設けられた前蓋と、を備えた磁気テープカセットであって、
前記前蓋が前記開位置にあるときに、該前蓋の側板部が前記上ハーフ底面の側部と対向する部分の該側板部の肉厚が厚くなるように、前記側板部に肉厚差を設けたことを特徴とする磁気テープカセット。
【発明の詳細な説明】
【０００１】
【発明の属する技術分野】
本発明は、磁気テープカセットに係り、特に、カセット前面側に露出される磁気テープを保護するため、上ハーフ前方に設けられたリッド（前蓋）を改良した磁気テープカセットに関する。
【０００２】
【従来の技術】
従来、デジタル信号を高密度で記録することができる小型軽量の磁気テープカセットが用いられている。
【０００３】
この磁気テープカセットは、ＪＩＳＸ６１２７、Ｘ６１２９、Ｘ６１３０、あるいはＥＣＭＡ−２８８で規定されているように、長尺の磁気テープのそれぞれの端部を固定した上で、この磁気テープを巻回した一対の巻取ハブあるいは巻取リールを、上ハーフと下ハーフを蓋合わせ状に結合して形成されるケース（カセット本体）に、前記一対の巻取ハブ等の間に張架された部分の磁気テープのみを露出するように収容して構成される。
また、磁気テープには高密度の記録が行われることから、特に、磁気テープに対して手指が接触することや塵埃が付着することを防止するため、ケースの密閉性を向上させる必要がある。そのため、上ハーフには、磁気テープを露出する前面側を覆うために前蓋（リッド）が設けられ、さらに下ハーフには、磁気テープカセット非使用時に下面側の開口部を塞ぐ、スライダが設けられている。
【０００４】
図８に、従来の磁気テープカセットの概略構成を斜視分解図で示す。
磁気テープカセットは、蓋合わせ状に結合され、カセットのケース（カセット本体）となる筐体を構成する上ハーフ１１０と下ハーフ１１２及び下ハーフ１１２の外側下部に前後方向摺動可能に装着されるスライダ１１４とから主に構成される。上ハーフ１１０と下ハーフ１１２とで構成されるケース内には、巻取ハブ１３０に巻回された磁気テープ１３２が収容される。上ハーフ１１０の前面側には、カセット非使用時において磁気テープ１３２を覆い保護する前蓋（リッド）１２０が回動可能に取付けられている。また、下ハーフ１１２の外側下面には、ケース下側の開放部分をふさいで密閉性を高めるため、スライダ１１４が前後方向摺動可能に取付けられている。
【０００５】
カセット非使用時に、巻取ハブ１３０に巻回された磁気テープ１３２が弛むのを防止するために、ブレーキ部材１１６が上ハーフ１１０に付設されている。ブレーキ部材１１６は、制動片１１６ａを巻取ハブ１３０の上部に設けられた歯車１３０ａに係合させることにより、巻取ハブ１３０の回転を禁止し、磁気テープ１３２の弛みを防止する。ブレーキ部材１１６は、ブレーキばね１１８によって、カセット非使用時において制動片１１６ａを歯車１３０ａに係合させる位置に付勢されている。ブレーキばね１１８は、上ハーフ１１０に設けられた突起１１０ａに係止されている。
【０００６】
下ハーフ１１２は、長方形状の底面１１２ａに、カセット使用時においてカセットケース内にリール軸を挿入するためのリール軸挿入孔１１２ｂ、１１２ｂを有し、底面１１２ａの左右両端から前方に伸びる張出部１１２ｃ、１１２ｃを有する構成となっている。左右の張出部１１２ｃ、１１２ｃには、前記一対の巻取ハブの間に張架された部分の磁気テープ１３２を、カセット使用時にケース前面に露出するようガイドするための円柱状のテープガイド１１２ｄ、１１２ｄが底面に垂直に突設されている。この左右の張出部１１２ｃ、１１２ｃの間の空間は、当該磁気テープカセットが装填される記録再生装置（デッキ）側に設けられているいわゆるテープローディング装置が進入するための空間である。
【０００７】
スライダ１１４は、下ハーフ１１２の底面１１２ａに下側から接してカセット前後方向に摺動するが、前方に位置するときは、前記下ハーフ１１２の左右の張出部１１２ｃ、１１２ｃの間の空間及びリール軸挿入孔１１２ｂをスライダ１１４の底面１１４ａにより、防塵のためふさぐようになっている。また、スライダ１１４が後方に位置するときは、前記左右の張出部１１２ｃ、１１２ｃの間の空間を開放するとともに、スライダ１１４の底面１１４ａに設けられたリール軸挿入孔１１４ｂ、１１４ｂが前記下ハーフ１１２のリール軸挿入孔１１２ｂ、１１２ｂと一致するようになっている。スライダ１１４は、カセット使用時にデッキに装着されると、デッキ内の装置の作用により自動的に後方に位置されるが、カセット非使用時には、下ハーフ１１２に設けられた板ばね１２２により前方に位置される。
【０００８】
下ハーフ１１２の底面１１２ａの、前記左右の張出部１１２ｃ、１１２ｃの間の空間に面する側（磁気テープを露出する側）に垂直に、２つの割筒型のリブを連続してハの字状に設けた壁状の部材（リールエリア前面壁）１１２ｅが立設されている。このハの字状に湾曲した壁状の部材１１２ｅは、巻取ハブ１３０に巻回された磁気テープ巻玉が置かれた場合に、これに沿うような形状とされ、ケース内にリールエリアを形成している。そして、この壁状の部材１１２ｅによって三角形状に区切られた底面の部分１１２ｆのほぼ中央部に垂直に柱状のリブ１２４を立設する。この柱状のリブ１２４と前記壁状の部材１１２ｅとの間に、板ばね１２２のハの字状の頂点部分１２２ａが組み込まれる。スライダ１１４は、カセット非使用時には板ばね１２２によって前方の位置に固定されるよう付勢されているが、この板ばね２２の先端部１２２ｂからの付勢力を受けるため、底面１１４ａの前方に垂直な壁状のリブ１１４ｃが設けられている。
【０００９】
図９に、上ハーフ１１０及びリッド１２０を、上下逆さまにして、その内側を斜視図で示す。図９では、リッド１２０のある向こう側が前方となっている。リッド１２０は、左右に延びた水平部１２０ａの左右両端に該水平部１２０ａに垂直に連接する側板１２０ｂを有している。そして側板１２０ｂの内側に設けられた支軸ピン１２０ｃを、上ハーフ１１０の底面に設けられた左右のフランジ部１１０ｂのピン支持孔１１０ｃに、貫挿する。これによりリッド１２０は上ハーフ１１０のフランジ部１１０ｂに回動可能に支持される。なお、フランジ部１１０ｂの近傍に設けられたリブ１１０ｄ、１１０ｄはブレーキ部材摺動ガイドであり、ブレーキ部材１１６を保持するとともに、その円滑な摺動を補助するためのものである。また、ボス１１０ｅ、１１０ｅは、組み立て時に下ハーフ１１２のテープガイド１１２ｄ、１１２ｄを受け入れるためのものである。
【００１０】
また、図１０に上ハーフの他の例を示す。この上ハーフ１４０は、その左右のフランジ部１４０ａ、１４０ａにリッド１２０の支軸ピン１２０ｃ、１２０ｃを受け入れるためのピン支持孔１４０ｂ、１４０ｂを設けた点は上記上ハーフ１２０と同様である。この上ハーフ１４０は、ブレーキ部材摺動ガイド１４２ａを、磁気テープ１３２の端部を光学的に検出するための部材であるプリズム１４２と一体化して設けている。このブレーキ部材摺動ガイド１４２ａは、柱状のリブを先端部ほど細くなるような台形状とし、先端部外側の一部を切り欠いて、段付き形状とし、この段付き形状部で、ブレーキ部材１１６の摺動をガイドするようにしたものである。
【００１１】
図１１は、図９の上ハーフ１１０とリッド１２０を組み合わせた状態の一部を示す平面図である。リッド１２０は、側板１２０ａの内側に設けられた支軸ピン１２０ｂを、上ハーフ１１０側部のフランジ部１１０ｂのピン支持孔１１０ｃ（図１１では図示省略）に貫挿して、支軸ピン１２０ｂの回りに回動可能に支持される。支軸ピン１２０ｂには、リッドばね１２２が設けられており、リッド１２０がカセット前面を塞ぐ位置に、リッド１２０を付勢している。
【００１２】
【発明が解決しようとする課題】
しかしながら、上述したような従来の磁気テープカセットにおいては、リッド１２０を上ハーフ１１０（あるいは１４０）に組み付ける際、リッド１２０の支軸ピン１２０ｂを上ハーフ１１０のピン支持孔１１０ｃ（１４０ｂ）に貫挿しやすくし、またリッド１２０を回動し易くするため、ピン支持孔１１０ｃ（１４０ｂ）および支軸ピン１２０ｂは、ある程度の余裕が必要とされる。また、フランジ部１１０ｂ（１４０ｂ）によってリッド１２０を支持しているため、フランジ部１１０ｂ（１４０ａ）には、ある程度の強度が必要とされていた。
【００１３】
従って図１１に示すように、リッド１２０が最も図の左側へ寄ったとき、支軸ピン１２０ｂの外れ止め１２０ｃとフランジ部１１０ｂとの間に隙間Ｌが存在し、そのため、リッド１２０が左右にずれる、いわゆるガタを生じるという問題があった。特にデッキ内において、すなわちリッド１２０が開位置にあるときに、左右のガタが生じると、デッキ内にガタによるゴミ等が飛散されるという問題がある。
これに対して、例えば、前記支軸ピン１２０ｂとピン支持孔１１０ｃの寸法によってガタを規制することも考えられるが、これでは、規制すればするほど、リッド１２０の組み付けや回動時の摺動性が悪化するとともに、リッド１２０の摺動時に粉落ちが発生する等の問題があり、リッドガタつきに対する有効な対策とは成り得なかった。
【００１４】
本発明は、前記従来の問題に鑑みてなされたものであり、磁気テープカセット前面側の磁気テープを保護するリッドを組み付け易く、かつ磁気テープカセット使用時にリッドが開位置にあるときのリッドの左右のガタつきを抑制した磁気テープカセットを提供することを課題とする。
【００１５】
【課題を解決するための手段】
前記課題を解決するために、本発明は、磁気テープを巻回した一対の巻取ハブを収容するカセット本体を構成し、前記一対の巻取ハブの間に張架された部分の磁気テープをカセット前面側に露出するよう蓋合わせ状に結合された上ハーフおよび下ハーフと、前記カセット左右方向に延在する水平部と、その左右両端に該水平部に垂直に連接する側板部を有し、該側板部に設けられた支軸ピンを前記上ハーフの底面に設けられたフランジ部のピン支持孔に貫挿させ、前記カセット前面側に露出される磁気テープの前面側を前記水平部で覆う閉位置と、前記磁気テープの前面側を開放する開位置との間を回動可能に設けられた前蓋と、を備えた磁気テープカセットであって、前記前蓋が前記開位置にあるときに、該前蓋の側板部が前記上ハーフ底面の側部と対向する部分の該側板部の肉厚が厚くなるように、前記側板部に肉厚差を設けたことを特徴とする磁気テープカセットを提供する。
【００１６】
【発明の実施の形態】
以下、本発明に係る磁気テープカセットについて、添付の図面に示される好適実施形態を基に、詳細に説明する。
【００１７】
図１は、本発明の一実施形態に係る磁気テープカセットの上ハーフとリッドの一部を示す平面図である。
図１は、図１１に対応するものであり、磁気テープカセット１の上ハーフ１０にリッド２０を組み付けた状態を示している。本実施形態の磁気テープカセット１は、図１に示す上ハーフ１０、リッド２０以外の構成部材については、図８に斜視分解図で示したものと同様であるため、詳細な説明は省略する。
【００１８】
リッド２０は、磁気テープカセット左右方向に延在する水平部２０ａの左右端部に垂直に連接する側板部２０ｂを有しており、側板部２０ｂの内側に設けられた支軸ピン２０ｃを、上ハーフ１０の底面１０ａに設けられたフランジ部１０ｂのピン支持孔１０ｃに貫挿する。支軸ピン２０ｃの先端部には、支軸ピン２０ｃをピン支持孔１０ｃに貫挿したときの外れ止め２０ｄが設けられている。また、支軸ピン２０ｃには、リッドばね２２が設けられており、常にリッド２０を磁気テープを保護する閉位置に付勢している。そして、磁気テープカセット１が図示しないデッキに装填されるとデッキ内の装置の働きによりリッド２０は、開位置に回動され、デッキから磁気テープカセット１を取り出すと、リッドばね２２の働きにより、自動的にリッド２０は閉位置に戻るようになっている。
【００１９】
また、上ハーフ１０には、図示しないブレーキ部材を保持し、その円滑な摺動を確保するブレーキ部材摺動ガイド１０ｄが設けられている。なお、符号１０ｅは、下ハーフの円柱状のテープガイドを受け入れるためのボスである。
本実施形態は、リッド２０が開位置にあるときに側板部２０ｂが上ハーフ１０の底面１０ａの側部と対向する側板部２０ｂの部分が厚肉部２０ｅとなるように側板部２０ｂに肉厚差を設けたものである。
【００２０】
図１のII−II線に沿う断面図を図２に示す。図２に示すように、側板部２０ｂに設けられた厚肉部２０ｅの形状は、図２において上方のみが厚くなっており、下方は従来と同じ厚さとなっている。これは、リッド２０を上ハーフ１０に組み込む際、組み付け易くするためであるが、肉厚部の設け方はこれに限定されるものではない。リッド２０を上ハーフ１０に組み付け易く、かつ、リッド２０が開位置にあるときに、厚肉部２０ｅが上ハーフ１０の底面１０ａの側部に近づいて、リッド２０の左右ガタが抑制されるような形状および位置であればよい。図２において、リッド２０が開位置に移動するとき、側板部２０ｂは、大体矢印Ａの示す方向に移動する。
【００２１】
リッド２０が開位置に移動する様子を図３に示す。図３は、図１の部分を斜視図で示したものである。図３では、分かりやすくするため、リッドばね２２やブレーキ部材摺動ガイド１０ｄ、ボス１０ｅ等は省略している。
図３（ａ）は、リッド２０が、閉位置にある状態を示している。図３（ｂ）は、リッド２０が支軸ピン２０ｃの回りに回動して、開位置に移動する途中の状態を示している。図３（ｂ）に示すように、リッド２０が開位置に移動するにつれて、側板部２０ｂの厚肉部２０ｅは上ハーフ１０の底面１０ａの側部１０ｆに次第に近づいていく。その結果、開位置において、リッド２０の左右へのガタが抑制される。
【００２２】
図４に、側板部２０ｂの肉厚差の設け方の他の例を示す。図４は、図１と同様磁気テープカセット１の上ハーフ１０にリッド２０を組み付けた状態を示す平面図である。
この例では、リッド２０の側板部２０ｂの肉厚を水平部２０ａに向かって次第に厚くするようにし、いわばテーパ形状２０ｆとなるようにしている。このとき上ハーフ１０の底面１０ａの形状は前記実施形態同様もとのままでもよいが、図４に示すように、側板部２０ｂのテーパ形状２０ｆに合わせて、底面１０ａの側部にテーパ形状１０ｇを設けてもよい。このようにすれば、リッド２０の上ハーフ１０への組付け時には、容易に組み付けることができるとともに、リッド２０が開位置にあるときには、それぞれのテーパ形状２０ｆ、１０ｇが互いに接近して、リッド２０の左右のガタが抑制される。
【００２３】
次に、開位置におけるリッド左右ガタを防止する他の例について説明する。
この例は、前記実施形態とは異なり、リッドの側板部の肉厚を変化させるものではなく、側板部の肉厚は一定とし、左右の側板部が、リッドの水平部に向かって内側に傾くようにして、リッドが開位置にあるときに、左右の側板部が上ハーフ底面左右の側部に接近するようにして、リッド開位置におけるリッドのガタを防止するようにしたものである。
【００２４】
図５に、この例に係る磁気テープカセット２の上ハーフ１０およびリッド２１の一部を示す。図５は、図１に対応する平面図である。
この例の磁気テープカセット２のリッド２１は、その側板部２１ｂが、支軸ピン２１ｃの設けられている付近から、前方の水平部２１ａに連接する部分に向かって、図５に符号Ｂで示すように、内側に傾くような形状を有している。この点以外については、前記第一実施形態と同様であり、詳しい説明は省略する。
【００２５】
また、図６は、この例の磁気テープカセット２のリッド２１が少し開いた状態を示す斜視図である。
リッド２１は、図６に矢印Ｃで示すように、開位置に向かって回動する。このとき、リッド２１が支軸ピン２１ｃによって上ハーフ１０に支持される部分近傍における左右側板部２１ｂ、２１ｂ間の距離Ｄよりも、側板部２１ｂ、２１ｂが水平部２１ａに連接する部分における左右側板部２１ｂ、２１ｂ間の距離ｄの方が、小さくなっている。すなわち、ｄ  ＜  Ｄ  、である。
【００２６】
その結果、リッド２１が開位置にあるとき、水平部２１ａに近い部分の側板部２１ｂが上ハーフ１０の底面側部１０ｆに接近し、第一実施形態と同様、リッド開位置におけるリッド２１の左右ガタが抑制される。
この例においては、結果的に、リッド２１の水平部２１ａの左右寸法も従来より少し短縮され、材料の節約にもなっている。
【００２７】
上述した実施形態あるいは他の例においては、リッド２０（あるいは２１）が、その開位置において、上ハーフ１０の底面側部１０ｆで支持されるようになる。その結果、従来のようにフランジ部１０ｂには、それ程の強度は必要とされず、フランジ部１０ｂの厚さを従来より薄くすることができる。また、支軸ピン２０ｃ（２１ｃ）の長さも短く、また外れ止め２０ｄ（２１ｄ）も小さくすることができる。その結果、図１（あるいは図５）に示すようにリッド２０（２１）が最も内側（図１あるいは図５の左側）へ寄ったときのフランジ部１０ｂと支軸ピン２０ｃ（２１ｃ）との隙間Ｌ’（あるいはＬ'') は、図１１に示すような従来の隙間Ｌよりも小さくすることができる。
従って、上ハーフ１０あるいはリッド２０（２１）内の部材を小さくした分、材料も低減でき、さらに、カセットケース内の有効スペースを広げることも可能となる。
【００２８】
ところで、近時磁気テープの記録容量を増大させるため、テープの巻きを増やすことが行われている。そのため、デッキ内での磁気テープ使用時に、デッキ側のテープガイドが磁気テープをカセットケースから引き出す際、磁気テープの走行位置が、テープ巻玉が大きくなった分、外側へ移動し、従来のままでは磁気テープが上ハーフのフランジ部や支軸ピンの先端部あるいは摺動ガイド等にあたって、擦れるという問題があった。
【００２９】
しかし、例えば前記実施形態においては、リッド２０の側板部２０ｂに、リッド開位置において上ハーフ底面１０ａの側部１０ｆと接近するような厚肉部２０ｅを側板部２０ｂに設け、上ハーフ１０の側部１０ｆでリッド２０が支持されるようにしたため、フランジ部１０ｂを薄くし、さらには、該フランジ部１０ｂを少し外側へシフトさせ、支軸ピン２０ｃも短く（外れ止め２０ｄを薄く）することも可能である。
従って、図７に一点鎖線３０で、デッキ側のテープガイドによって磁気テープがカセットケースから引き出される際の走行位置を示すように、たとえリッド２０がずれたとしても、そのずれＬ’はごくわずかであり、支軸ピン２０ｃの端部が磁気テープにあたることはない。また、摺動ガイド１０ｄについても、その厚さを薄くしたり、磁気テープにあたるおそれのある部分を削ることにより、磁気テープへの接触を防止することが可能である。
なお、このように、磁気テープが走行する際の磁気テープとの干渉を防止できる点については、図５に示す他の例でも同様である。
【００３０】
以上、本発明の磁気テープカセットについて詳細に説明したが、本発明は、以上の例には限定されず、本発明の要旨を逸脱しない範囲において、各種の改良や変更を行ってもよいのはもちろんである。
【００３１】
【発明の効果】
以上説明した通り、本発明によれば、リッドの左右ガタ、特にデッキ内で磁気テープ使用時に、リッドが開位置にあるときのガタを効果的に防止することが可能となった。
【図面の簡単な説明】
【図１】  本発明の一実施形態に係る磁気テープカセットの上ハーフとリッドの一部を示す平面図である。
【図２】  図１のII-II 線に沿う断面図である。
【図３】  （ａ）は、図１の上ハーフとリッドの部分を示す斜視図であり、（ｂ）は、同部分において、リッドが開位置へ移動する途中を示す斜視図である。
【図４】  上ハーフとリッドの他の例を示す平面図である。
【図５】  他の例の磁気テープカセットを示す図１に対応する平面図である。
【図６】  図１と同じ、磁気テープカセットの上ハーフとリッドの一部を示す平面図である。
【図７】  他の例の磁気テープカセットを示す斜視図である。
【図８】  従来の磁気テープカセットを示す斜視分解図である。
【図９】  図８の上ハーフとリッドをひっくり返した状態を示す斜視図である。
【図１０】  図９とは別の上ハーフの例を示す斜視図である。
【図１１】  図９の上ハーフとリッドを組み合わせた状態の一部を示す平面図である。
【符号の説明】
１  磁気テープカセット
１０  上ハーフ
１０ａ  底面
１０ｂ  フランジ部
１０ｃ  ピン支持孔
１０ｄ  ブレーキ部材摺動ガイド
１０ｅ  ボス
１０ｆ  （上ハーフ底面の）側部
２０  リッド
２０ａ  水平部
２０ｂ  側板部
２０ｃ  支軸ピン
２０ｄ  外れ止め
２０ｅ  厚肉部
１１０、１４０  上ハーフ
１１２  下ハーフ
１１４  スライダ
１１６  ブレーキ部材
１１８  ブレーキばね
１２０  リッド
１２２  板ばね
１３０  巻取ハブ
１３２  磁気テープ
【図１】
0004017311.tif 000002
【図２】
0004017311.tif 000003
【図３】
0004017311.tif 000004
【図４】
0004017311.tif 000005
【図５】
0004017311.tif 000006
【図６】
0004017311.tif 000007
【図７】
0004017311.tif 000008
【図８】
0004017311.tif 000009
【図９】
0004017311.tif 000010
【図１０】
0004017311.tif 000011
【図１１】
0004017311.tif 000012